(57)【特許請求の範囲】
【請求項１】
シートに画像を印刷する印刷部と，
前記印刷部から出力されたシートを収容するトレイと，
ジョブの処理の開始を指示する開始指示と，割込みの開始を指示する割込み指示と，割込みの終了を指示する割込み終了指示と，印刷物のセット完了を指示するセット完了指示と，を受信可能な受信部と，
通知部と，
制御部と，
を備え，
前記制御部は，
第１の印刷ジョブの処理中，前記受信部を介して前記割込み指示を受信したか否かを判断する割込み判断処理と，
前記割込み判断処理にて前記割込み指示を受信したと判断したことに応じて，前記第１の印刷ジョブの処理を中断して前記トレイへのシートの出力を止める中断処理と，
前記中断処理にて前記第１の印刷ジョブの処理を中断した後，前記通知部に前記トレイ内の印刷物を取り除く旨を通知させる第１通知処理と，
前記第１通知処理による通知後，前記受信部を介して第２の印刷ジョブの前記開始指示を受信するまで待機する開始指示待機処理と，
前記開始指示待機処理による待機中，前記受信部を介して前記第２の印刷ジョブの前記開始指示を受信したことに応じて，前記第２の印刷ジョブの処理を開始する割込み処理と，
前記第２の印刷ジョブの処理を開始した後，前記受信部を介して前記割込み終了指示を受信したことに応じて，前記通知部に前記第１の印刷ジョブの印刷物を前記トレイ内にセットする旨を通知させる第２通知処理と，
前記第２通知処理による通知後，前記受信部を介して前記セット完了指示を受信するまで待機するセット完了指示待機処理と，
前記セット完了指示待機処理による待機中，前記受信部を介して前記セット完了指示を受信したことに応じて，前記第１の印刷ジョブの処理を再開する再開処理と，
を実行することを特徴とする画像形成装置。
【請求項２】
請求項１に記載する画像形成装置において，
前記制御部は，
前記第２通知処理ではさらに，前記通知部に前記トレイ内にセットする印刷物の向きの情報を通知させる，
ことを特徴とする画像形成装置。
【請求項３】
請求項１または請求項２に記載する画像形成装置において，
前記制御部は，
前記第２通知処理ではさらに，前記通知部に前記トレイ内にセットしたときに上側となる印刷物の面の情報を通知させる，
ことを特徴とする画像形成装置。
【請求項４】
請求項３に記載する画像形成装置において，
記憶部を備え，
前記制御部は，
片面印刷において，前記印刷部によって画像が印刷されたシートを，フェイスアップで前記トレイに出力する場合，
前記中断処理にて前記第１の印刷ジョブの処理を中断する際に，最後に印刷された画像の表示データを生成して前記記憶部に記憶させ，
前記第２通知処理にて通知させる前記面の情報として，前記記憶部に記憶した前記表示データを用いる，
ことを特徴とする画像形成装置。
【請求項５】
請求項３または請求項４に記載する画像形成装置において，
前記制御部は，
片面印刷において，前記印刷部によって画像が印刷されたシートを，フェイスダウンで前記トレイに出力する場合，
前記第２通知処理にて通知させる前記面の情報として，白紙画像の表示データを用いる，
ことを特徴とする画像形成装置。
【請求項６】
請求項３から請求項５のいずれか１つに記載する画像形成装置において，
記憶部を備え，
前記制御部は，
両面印刷において，前記印刷部によって画像が印刷されたシートを，フェイスアップで前記トレイに出力する場合，
前記中断処理にて前記第１の印刷ジョブの処理を中断する際に，最後に印刷された画像の表示データを生成して前記記憶部に記憶させ，
前記第２通知処理にて通知させる前記面の情報として，前記記憶部に記憶した前記表示データを用いる，
ことを特徴とする画像形成装置。
【請求項７】
請求項３から請求項６のいずれか１つに記載する画像形成装置において，
記憶部を備え，
前記制御部は，
両面印刷において，前記印刷部によって画像が印刷されたシートを，フェイスダウンで前記トレイに出力する場合，
前記中断処理にて前記第１の印刷ジョブの処理を中断する際に，最後に印刷された画像の１つ前の画像の表示データを生成して前記記憶部に記憶させ，
前記第２通知処理にて通知させる前記面の情報として，前記記憶部に記憶した前記表示データを用いる，
ことを特徴とする画像形成装置。
【請求項８】
請求項１から請求項７のいずれか１つに記載する画像形成装置において，
前記制御部は，
前記開始指示待機処理による待機時間が所定時間を超えたことに応じて，前記第１の印刷ジョブの処理を再開することを特徴とする画像形成装置。
【請求項９】
請求項１から請求項８のいずれか１つに記載する画像形成装置において，
前記制御部は，
前記セット完了指示待機処理による待機時間が所定時間を超えたことに応じて，前記第１の印刷ジョブの処理を再開することを特徴とする画像形成装置。
【請求項１０】
シートに画像を印刷する印刷部と，
前記印刷部から出力されたシートを収容するトレイと，
前記トレイ内のシートの有無に応じて異なる信号を出力するセンサと，
ジョブの処理の開始を指示する開始指示と，割込みの開始を指示する割込み指示と，割込みの終了を指示する割込み終了指示と，を受信可能な受信部と，
制御部と，
を備え，
前記制御部は，
第１の印刷ジョブの処理中，前記受信部を介して前記割込み指示を受信したか否かを判断する割込み判断処理と，
前記割込み判断処理にて前記割込み指示を受信したと判断したことに応じて，前記第１の印刷ジョブの処理を中断して前記トレイへのシートの出力を止める中断処理と，
前記中断処理にて前記第１の印刷ジョブの処理を中断した後，前記受信部を介して第２の印刷ジョブの前記開始指示を受信した場合，前記センサの出力がシートの有を示す信号から無を示す信号に変化するまで待機するシート除去待機処理と，
前記シート除去待機処理による待機中，前記センサの出力がシートの有を示す信号から無を示す信号に変化したことに応じて，前記第２の印刷ジョブの処理を開始する割込み処理と，
前記第２の印刷ジョブの処理を開始した後，前記受信部を介して前記割込み終了指示を受信した場合，前記センサの出力がシートの有を示す信号から無を示す信号に変化し，さらにその後にシートの有を示す信号に変化するまで待機するシート復帰待機処理と，
前記シート復帰待機処理による待機中，前記センサの出力がシートの有を示す信号から無を示す信号に変化し，さらにその後にシートの有を示す信号に変化したことに応じて，前記第１の印刷ジョブの処理を再開させる再開処理と，
を実行することを特徴とする画像形成装置。
【請求項１１】
請求項１０に記載する画像形成装置において，
通知部を備え，
前記制御部は，
前記中断処理にて前記第１の印刷ジョブの処理を中断させた後，前記通知部に前記トレイ内の印刷物を取り除く旨を通知させる，
ことを特徴とする画像形成装置。
【請求項１２】
請求項１０または請求項１１に記載する画像形成装置において，
通知部を備え，
前記制御部は，
前記第２の印刷ジョブの処理の終了後，前記通知部に前記第２の印刷ジョブの印刷物を取り除いて前記第１の印刷ジョブの印刷物を前記トレイ内にセットする旨を通知させる，
ことを特徴とする画像形成装置。
【請求項１３】
請求項１２に記載する画像形成装置において，
前記制御部は，
前記第２の印刷ジョブの処理の終了後，さらに前記通知部に前記トレイ内にセットする印刷物の向きの情報を通知させる，
ことを特徴とする画像形成装置。
【請求項１４】
請求項１２または請求項１３に記載する画像形成装置において，
前記制御部は，
前記第２の印刷ジョブの処理の終了後，さらに前記通知部に前記トレイ内にセットしたときに上側となる印刷物の面の情報を通知させる，
ことを特徴とする画像形成装置。
【請求項１５】
請求項１４に記載する画像形成装置において，
記憶部を備え，
前記制御部は，
片面印刷において，前記印刷部によって画像が印刷されたシートを，フェイスアップで前記トレイに出力する場合，
前記中断処理にて前記第１の印刷ジョブの処理を中断する際に，最後に印刷された画像の表示データを生成して前記記憶部に記憶させ，
前記第２の印刷ジョブの処理の終了後に通知させる前記面の情報として，前記記憶部に記憶した前記表示データを用いる，
ことを特徴とする画像形成装置。
【請求項１６】
請求項１４または請求項１５に記載する画像形成装置において，
前記制御部は，
片面印刷において，前記印刷部によって画像が印刷されたシートを，フェイスダウンで前記トレイに出力する場合，
前記第２の印刷ジョブの処理の終了後に通知させる前記面の情報として，白紙画像の表示データを用いる，
ことを特徴とする画像形成装置。
【請求項１７】
請求項１４から請求項１６のいずれか１つに記載する画像形成装置において，
記憶部を備え，
前記制御部は，
両面印刷において，前記印刷部によって画像が印刷されたシートを，フェイスアップで前記トレイに出力する場合，
前記中断処理にて前記第１の印刷ジョブの処理を中断する際に，最後に印刷された画像の表示データを生成して前記記憶部に記憶させ，
前記第２の印刷ジョブの処理の終了後に通知させる前記面の情報として，前記記憶部に記憶した前記表示データを用いる，
ことを特徴とする画像形成装置。
【請求項１８】
請求項１４から請求項１７のいずれか１つに記載する画像形成装置において，
記憶部を備え，
前記制御部は，
両面印刷において，前記印刷部によって画像が印刷されたシートを，フェイスダウンで前記トレイに出力する場合，
前記中断処理にて前記第１の印刷ジョブの処理を中断する際に，最後に印刷された画像の１つ前の画像の表示データを生成して前記記憶部に記憶させ，
前記第２の印刷ジョブの処理の終了後に通知させる前記面の情報として，前記記憶部に記憶した前記表示データを用いる，
ことを特徴とする画像形成装置。
【請求項１９】
請求項１０から請求項１８のいずれか１つに記載する画像形成装置において，
前記トレイが複数あり，
前記制御部は，
前記中断処理にて前記第１の印刷ジョブの処理を中断した後，前記受信部を介して第２の印刷ジョブの前記開始指示を受信したことに応じて，前記第１の印刷ジョブの出力先のトレイと，前記第２の印刷ジョブの出力先のトレイと，が同じか否かを判断し，
出力先のトレイが同じと判断された場合，前記シート除去待機処理，前記割込み処理，前記シート復帰待機処理，および前記再開処理を実行し，
出力先のトレイが同じと判断されなかった場合，前記センサの出力の変化を待たずに前記第２の印刷ジョブの処理を開始し，前記受信部を介して前記割込み終了指示を受信した後，前記センサの出力の変化を待たずに前記第１の印刷ジョブの処理を再開する，
ことを特徴とする画像形成装置。
【請求項２０】
請求項１０から請求項１９のいずれか１つに記載する画像形成装置において，
前記制御部は，
前記シート除去待機処理による待機時間が所定時間を超えたことに応じて，前記第１の印刷ジョブの処理を再開することを特徴とする画像形成装置。
【請求項２１】
請求項１０から請求項２０のいずれか１つに記載する画像形成装置において，
前記制御部は，
前記シート復帰待機処理による待機時間が所定時間を超えたことに応じて，前記第１の印刷ジョブの処理を再開することを特徴とする画像形成装置。
【請求項２２】
シートに画像を印刷する印刷部と，
前記印刷部から出力されたシートを収容するトレイと，
ジョブの処理の開始を指示する開始指示と，割込みの開始を指示する割込み指示と，割込みの終了を指示する割込み終了指示と，シートのセット完了を指示するセット完了指示と，を受信可能な受信部と，
通知部と，
を備える画像形成装置の制御方法であって，
第１の印刷ジョブの処理中，前記受信部を介して前記割込み指示を受信したか否かを判断する割込み判断ステップと，
前記割込み判断ステップにて前記割込み指示を受信したと判断したことに応じて，前記第１の印刷ジョブの処理を中断して前記トレイへのシートの出力を止める中断ステップと，
前記中断ステップにて前記第１の印刷ジョブの処理を中断した後，前記通知部に前記トレイ内の印刷物を取り除く旨を通知させる第１通知ステップと，
前記第１通知ステップによる通知後，前記受信部を介して第２の印刷ジョブの前記開始指示を受信するまで待機する開始指示待機ステップと，
前記開始指示待機ステップによる待機中，前記受信部を介して前記第２の印刷ジョブの前記開始指示を受信したことに応じて，前記第２の印刷ジョブの処理を開始する割込みステップと，
前記第２の印刷ジョブの処理を開始した後，前記受信部を介して前記割込み終了指示を受信したことに応じて，前記通知部に前記第１の印刷ジョブの印刷物を前記トレイ内にセットする旨を通知させる第２通知ステップと，
前記第２通知ステップによる通知後，前記受信部を介して前記セット完了指示を受信するまで待機するセット完了指示待機ステップと，
前記セット完了指示待機ステップによる待機中，前記受信部を介して前記セット完了指示を受信したことに応じて，前記第１の印刷ジョブの処理を再開する再開ステップと，
を含むことを特徴とする画像形成装置の制御方法。
【請求項２３】
シートに画像を印刷する印刷部と，
前記印刷部から出力されたシートを収容するトレイと，
前記トレイ内のシートの有無に応じて異なる信号を出力するセンサと，
ジョブの処理の開始を指示する開始指示と，割込みの開始を指示する割込み指示と，割込みの終了を指示する割込み終了指示と，を受信可能な受信部と，
を備える画像形成装置の制御方法であって，
第１の印刷ジョブの処理中，前記受信部を介して前記割込み指示を受信したか否かを判断する割込み判断ステップと，
前記割込み判断ステップにて前記割込み指示を受信したと判断したことに応じて，前記第１の印刷ジョブの処理を中断して前記トレイへのシートの出力を止める中断ステップと，
前記中断ステップにて前記第１の印刷ジョブの処理を中断した後，前記受信部を介して第２の印刷ジョブの前記開始指示を受信した場合，前記センサの出力がシートの有を示す信号から無を示す信号に変化するまで待機するシート除去待機ステップと，
前記シート除去待機ステップによる待機中，前記センサの出力がシートの有を示す信号から無を示す信号に変化したことに応じて，前記第２の印刷ジョブの処理を開始する割込みステップと，
前記第２の印刷ジョブの処理を開始した後，前記受信部を介して前記割込み終了指示を受信した場合，前記センサの出力がシートの有を示す信号から無を示す信号に変化し，さらにその後にシートの有を示す信号に変化するまで待機するシート復帰待機ステップと，
前記シート復帰待機ステップによる待機中，前記センサの出力がシートの有を示す信号から無を示す信号に変化し，さらにその後にシートの有を示す信号に変化したことに応じて，前記第１の印刷ジョブの処理を再開させる再開ステップと，
を含むことを特徴とする画像形成装置の制御方法。
【発明の詳細な説明】
【技術分野】
【０００１】
本発明は，画像形成装置および制御方法に関する。さらに詳細には，第１の印刷ジョブの処理中に第２の印刷ジョブを割り込ませる割込み印刷機能に関する技術である。
【背景技術】
【０００２】
従来から，画像形成装置において，第１の印刷ジョブの処理中に第２の印刷ジョブを受け付けると，第１の印刷ジョブの処理を中断し，第２の印刷ジョブの処理を開始し，第２の印刷ジョブの処理終了後に第１の印刷ジョブの処理を再開する割込み印刷機能が知られている。
【０００３】
割込み印刷機能を開示した文献としては，例えば，特許文献１がある。特許文献１には，第１のコピージョブの処理中に割込みキーが押下されると第１のコピージョブを中断し，第２のコピージョブを処理でき，再度割込みキーが押下されると，割込み機能が解除され，第１のコピージョブの処理を再開する複写機であって，特殊コピーの処理中にジョブを割り込ませた場合，割込み機能を解除する際に割込み前の特殊コピーの設定値を表示する構成が開示されている。
【先行技術文献】
【特許文献】
【０００４】
【特許文献１】特開昭６２−１１８７７号公報
【発明の概要】
【発明が解決しようとする課題】
【０００５】
しかしながら，前記した従来の技術には，次のような問題があった。すなわち，第１の印刷ジョブの処理を中断して第２の印刷ジョブを割り込ませる場合，第１の印刷ジョブと第２の印刷ジョブとが同じ排紙トレイを用いると，第１の印刷ジョブの印刷物と第２の印刷ジョブの印刷物とが混載される可能性が高まる。その場合，第１の印刷ジョブと第２の印刷ジョブの切れ目が分かり難い，第２の印刷ジョブのユーザが第１の印刷ジョブの印刷物を誤って持ち去ってしまう，等の不具合が生じ得る。
【０００６】
本発明は，前記した従来の技術が有する問題点を解決するためになされたものである。すなわちその課題とするところは，割込み印刷機能を有する画像形成装置において，割り込まれる印刷ジョブの印刷物と，割り込む印刷ジョブの印刷物と，の混載の可能性を低減する技術を提供することにある。
【課題を解決するための手段】
【０００７】
この課題の解決を目的としてなされた画像形成装置は，シートに画像を印刷する印刷部と，前記印刷部から出力されたシートを収容するトレイと，ジョブの処理の開始を指示する開始指示と，割込みの開始を指示する割込み指示と，割込みの終了を指示する割込み終了指示と，印刷物のセット完了を指示するセット完了指示と，を受信可能な受信部と，通知部と，制御部と，を備え，前記制御部は，第１の印刷ジョブの処理中，前記受信部を介して前記割込み指示を受信したか否かを判断する割込み判断処理と，前記割込み判断処理にて前記割込み指示を受信したと判断したことに応じて，前記第１の印刷ジョブの処理を中断して前記トレイへのシートの出力を止める中断処理と，前記中断処理にて前記第１の印刷ジョブの処理を中断した後，前記通知部に前記トレイ内の印刷物を取り除く旨を通知させる第１通知処理と，前記第１通知処理による通知後，前記受信部を介して第２の印刷ジョブの前記開始指示を受信するまで待機する開始指示待機処理と，前記開始指示待機処理による待機中，前記受信部を介して前記第２の印刷ジョブの前記開始指示を受信したことに応じて，前記第２の印刷ジョブの処理を開始する割込み処理と，前記第２の印刷ジョブの処理を開始した後，前記受信部を介して前記割込み終了指示を受信したことに応じて，前記通知部に前記第１の印刷ジョブの印刷物を前記トレイ内にセットする旨を通知させる第２通知処理と，前記第２通知処理による通知後，前記受信部を介して前記セット完了指示を受信するまで待機するセット完了指示待機処理と，前記セット完了指示待機処理による待機中，前記受信部を介して前記セット完了指示を受信したことに応じて，前記第１の印刷ジョブの処理を再開する再開処理と，を実行することを特徴としている。
【０００８】
本明細書に開示される画像形成装置は，第１の印刷ジョブの処理中に割込み指示を受信すると，第１の印刷ジョブの処理を中断し，トレイ内の印刷物を取り除く旨を通知する。画像形成装置は，通知後，第２の印刷ジョブの開始指示を受信したら，第２の印刷ジョブの処理を開始する。また，画像形成装置は，割込み終了指示を受信すると，先に取り除いた第１の印刷ジョブの印刷物をトレイ内にセットする旨を通知する。画像形成装置は，通知後，セット完了指示を受信したら，第１の印刷ジョブの処理を再開する。
【０００９】
すなわち，本明細書に開示される画像形成装置では，第２の印刷ジョブを割り込ませる際，第２の印刷ジョブの処理を開始する前に，トレイ内の印刷物，すなわち第１の印刷ジョブの印刷物を取り除く旨を通知することで，トレイに印刷物が無い状態での第２の印刷ジョブの処理開始が期待できる。その結果として，第１の印刷ジョブと第２の印刷ジョブとの混載の可能性が低減される。また，割込み終了指示を受信した後，第１の印刷ジョブの印刷物をトレイ内にセットする旨を通知し，さらにセット完了指示の受信を待って第１の印刷ジョブの処理を再開することで，取り除いた印刷物の戻し忘れも防止できる。
【００１０】
また，本明細書には，他の画像形成装置として，シートに画像を印刷する印刷部と，前記印刷部から出力されたシートを収容するトレイと，前記トレイ内のシートの有無に応じて異なる信号を出力するセンサと，ジョブの処理の開始を指示する開始指示と，割込みの開始を指示する割込み指示と，割込みの終了を指示する割込み終了指示と，を受信可能な受信部と，制御部と，を備え，前記制御部は，第１の印刷ジョブの処理中，前記受信部を介して前記割込み指示を受信したか否かを判断する割込み判断処理と，前記割込み判断処理にて前記割込み指示を受信したと判断したことに応じて，前記第１の印刷ジョブの処理を中断して前記トレイへのシートの出力を止める中断処理と，前記中断処理にて前記第１の印刷ジョブの処理を中断した後，前記受信部を介して第２の印刷ジョブの前記開始指示を受信した場合，前記センサの出力がシートの有を示す信号から無を示す信号に変化するまで待機するシート除去待機処理と，前記シート除去待機処理による待機中，前記センサの出力がシートの有を示す信号から無を示す信号に変化したことに応じて，前記第２の印刷ジョブの処理を開始する割込み処理と，前記第２の印刷ジョブの処理を開始した後，前記受信部を介して前記割込み終了指示を受信した場合，前記センサの出力がシートの有を示す信号から無を示す信号に変化し，さらにその後にシートの有を示す信号に変化するまで待機するシート復帰待機処理と，前記シート復帰待機処理による待機中，前記センサの出力がシートの有を示す信号から無を示す信号に変化し，さらにその後にシートの有を示す信号に変化したことに応じて，前記第１の印刷ジョブの処理を再開させる再開処理と，を実行する画像形成装置が開示されている。
【００１１】
本明細書に開示される上述の画像形成装置は，第１の印刷ジョブの処理中に割込み指示を受信すると，第１の印刷ジョブの処理を中断し，センサの出力がシートの無を示す信号に変化するまで待機する。画像形成装置は，さらに，センサの出力がシートの有を示す信号から無を示す信号に変化したことに応じて，第２の印刷ジョブの処理を開始する。また，画像形成装置は，割込み終了指示を受信すると，センサの出力がシートの有を示す信号から無を示す信号に変化し，その後，シートの有を示す信号に変化するまで待機する。画像形成装置は，センサの出力が上述のように変化したら，第１の印刷ジョブの処理を再開する。
【００１２】
すなわち，本明細書に開示される上述の画像形成装置では，第２の印刷ジョブを割り込ませる際，トレイ内の印刷物，すなわち第１の印刷ジョブの印刷物が取り除かれたことをセンサによって検知されたことに応じて第２の印刷ジョブの処理を開始することで，トレイに印刷物が無い状態で第２の印刷ジョブの処理が開始される。その結果として，第１の印刷ジョブと第２の印刷ジョブとの混載の可能性が低減される。また，割込み終了指示を受信した後，第２の印刷ジョブの印刷物が取り除かれたことをセンサによって検知され，さらにその後に印刷物がセットされたことをセンサによって検知されるのを待って第１の印刷ジョブの処理を再開することで，取り除いた印刷物の戻し忘れを防止できる。
【００１３】
上記装置の機能を実現するための制御方法，コンピュータプログラム，および当該コンピュータプログラムを格納するコンピュータ読取可能な記憶媒体も，新規で有用である。
【発明の効果】
【００１４】
本発明によれば，割込み印刷機能を有する画像形成装置において，割り込まれる印刷ジョブの印刷物と，割り込む印刷ジョブの印刷物と，の混載の可能性を低減する技術が実現される。
【図面の簡単な説明】
【００１５】
【図１】第１の形態にかかるプリンタの概略構成を示す説明図である。
【図２】第１の形態のプリンタの電気的構成を示すブロック図である。
【図３】第１の形態のプリンタの割込み動作を示す説明図である。
【図４】割込印刷処理の手順を示すフローチャートである。
【図５】表示データ生成処理の手順を示すフローチャートである。
【図６】表示の例を示す説明図である。
【図７】第２の形態のプリンタの電気的構成を示すブロック図である。
【図８】第２の形態のプリンタの割込み動作を示す説明図である。
【図９】第２の形態のプリンタにおける割込印刷処理の手順を示すフローチャートである。
【図１０】第３の形態のプリンタにおける表示データ生成処理の手順を示すフローチャートである。
【図１１】表示の例を示す説明図である。
【図１２】表示の例を示す説明図である。
【発明を実施するための形態】
【００１６】
以下，本発明にかかる画像形成装置を具体化した実施の形態について，添付図面を参照しつつ詳細に説明する。本形態は，画像形成機能を備えたプリンタに本発明を適用したものである。
【００１７】
＜第１の形態＞
本形態のプリンタ１００は，図１に示すように，シートに画像を印刷するための構成である画像形成部１０を備えている。画像形成部１０は，印刷部の一例である。画像形成部１０の画像形成方式は，電子写真方式であっても，インクジェット方式であってもよい。また，プリンタ１００は，カラー画像の形成が可能な装置であっても，モノクロ画像専用の装置であってもよい。なお，以下では，図１に示すように，図１中の右方を「前」，左方を「後」と規定する。プリンタ１００は，前側からユーザに操作されることを想定している。
【００１８】
プリンタ１００は，図１に示すように，給紙トレイ１１と，排紙トレイ１２と，排紙トレイ１３と，を備える。給紙トレイ１１は，画像形成部１０の下部に設けられ，印刷用のシートを収容する。排紙トレイ１２は，画像形成部１０の上部に設けられ，印刷済みのシートを収容する。排紙トレイ１３は，プリンタ１００の後面に設けられ，印刷済みのシートを収容する。排紙トレイ１２，１３は，トレイの一例である。
【００１９】
プリンタ１００は，給紙トレイ１１に収容されているシートに，画像形成部１０にて画像を印刷させて，印刷済みのシートを排紙トレイ１２，１３に排紙する。なお，排紙トレイ１３は，プリンタ１００の後面に対して開閉自在のトレイである。プリンタ１００は，排紙トレイ１３に設けられたセンサからの信号等に基づいて，排紙トレイ１３が開いているか否かの情報を取得できる。そして，排紙トレイ１３が閉じている場合には，プリンタ１００は，印刷済みのシートを排紙トレイ１２へ排紙する。排紙トレイ１３が開いている場合には，プリンタ１００は，排紙トレイ１３に印刷済みのシートを排紙する。
【００２０】
プリンタ１００は，両面印刷可能な装置である。プリンタ１００の内部には，図１中に一点鎖線および二点鎖線で示すように，選択可能な複数の経路を含むシートの搬送路１５が形成されている。シートの搬送路１５には，給紙トレイ１１から画像形成部１０へ至る給紙路１５Ａと，画像形成部１０を通過する画像形成路１５Ｂと，画像形成部１０から排紙トレイ１２へ至る第１排紙路１５Ｃと，画像形成部１０から排紙トレイ１３へ至る第２排紙路１５Ｄと，片面への印刷が終了したシートを反転させて再び画像形成部１０へ搬送するための反転経路１５Ｅとが含まれる。
【００２１】
第２排紙路１５Ｄは，画像形成部１０からほぼ水平に後方へ向かう経路である。第１排紙路１５Ｃは，画像形成部１０より下流の位置にある排紙分岐点１６にて第２排紙路１５Ｄから上方へ分岐し，湾曲して前方へ向かい排紙トレイ１２に至る。反転経路１５Ｅは，排紙分岐点１６より下流で排紙トレイ１２よりも上流の位置にある反転分岐点１７で，第１排紙路１５Ｃから分岐している。そして，反転経路１５Ｅは，画像形成部１０よりも下側を通って，給紙トレイ１１より下流で画像形成部１０より上流の位置にある合流点１８で，給紙路１５Ａに合流する。
【００２２】
具体的に，片面印刷を行う場合，プリンタ１００は，給紙トレイ１１から１枚のシートを給紙路１５Ａに引き出し，画像形成路１５Ｂを通過させつつ，そのシートの片面に印刷する。なお，プリンタ１００の画像形成部１０は，シートの図１中で上側の面，つまり，給紙トレイ１１に収容されている状態では下側の面に印刷する。
【００２３】
また，両面印刷を行う場合，プリンタ１００は，画像形成路１５Ｂにて片面に印刷したシートを，第１排紙路１５Ｃの途中まで搬送し，排紙トレイ１２に排紙する前に一旦停止させる。さらに，プリンタ１００は，シートの搬送方向を反転させて，反転経路１５Ｅを経て給紙路１５Ａにシートを進行させ，再び画像形成路１５Ｂを通過させる。画像形成路１５Ｂでは，シートは，先に印刷された面を下向きとして搬送されるので，印刷済みの面の裏側の面に印刷される。なお，印刷の順序は，画像データのページの順とは限らない。
【００２４】
そして，プリンタ１００は，排紙トレイ１３の開閉状態に基づいて，印刷後のシートを，排紙トレイ１２または排紙トレイ１３に排出する。排紙トレイ１３が閉じている場合，プリンタ１００は，印刷後のシートを，第１排紙路１５Ｃを介して排紙トレイ１２に排紙する。この場合，最後に印刷された印刷面は下向きとなる。つまり，シートは，フェイスダウンで排紙トレイ１２に収容される。一方，排紙トレイ１３が開いている場合，プリンタ１００は，印刷後のシートを，第２排紙路１５Ｄを経て，シートをプリンタ１００の後方へ搬送し，排紙トレイ１３に排紙する。この場合，シートのうち最後に印刷された印刷面は上向きとなる。つまり，シートは，フェイスアップで排紙トレイ１３に収容される。
【００２５】
続いて，本形態のプリンタ１００の電気的構成について説明する。プリンタ１００は，図２に示すように，ＣＰＵ３１と，ＲＯＭ３２と，ＲＡＭ３３と，ＮＶＲＡＭ（不揮発性ＲＡＭ）３４とを含むコントローラ３０を備えている。また，プリンタ１００は，画像形成部１０と，ネットワークＩＦ（インターフェース）３７と，ＵＳＢＩＦ３８と，操作パネル４０と，を備え，これらがコントローラ３０に電気的に接続されている。
【００２６】
ＲＯＭ３２には，プリンタ１００を制御するための各種制御プログラムや各種設定，初期値等が記憶されている。ＲＡＭ３３は，各種制御プログラムが読み出される作業領域として，あるいは，データを一時的に記憶する記憶領域として利用される。ＮＶＲＡＭ３４は，画像データ等のデータや各種設定等を記憶する領域として利用される。ＲＡＭ３３は，記憶部の一例である。
【００２７】
ＣＰＵ３１は，ＲＯＭ３２から読み出した制御プログラムに従って，その処理結果をＲＡＭ３３またはＮＶＲＡＭ３４に記憶させながら，プリンタ１００の各構成要素を制御する。ＣＰＵ３１は，制御部の一例である。なお，コントローラ３０が制御部であってもよい。なお，図２中のコントローラ３０は，ＣＰＵ３１等，プリンタ１００の制御に利用されるハードウェアを纏めた総称であって，実際にプリンタ１００に存在する単一のハードウェアを表すとは限らない。
【００２８】
ネットワークＩＦ３７は，ネットワークに接続する外部機器と通信を行うためのハードウェアである。通信方法は，有線であっても無線であってもよい。ＵＳＢＩＦ３８は，ＵＳＢケーブル等を介して接続する外部機器と通信を行うためのハードウェアである。
【００２９】
操作パネル４０は，液晶ディスプレイ４１と，ボタン群とを備える。ボタン群には，スタートボタン４２，割込ボタン４３，割込終了ボタン４４，完了ボタン４５，ストップボタン，テンキー等が含まれる。液晶ディスプレイ４１は，通知部の一例である。ボタン群は，受信部の一例である。
【００３０】
プリンタ１００は，例えば，各種のメッセージを操作パネル４０の液晶ディスプレイ４１に表示させる。また，プリンタ１００は，ボタン群への操作を受け付けた場合に，各ボタンにて発信される信号を受信することにより，各種の操作入力を受け付ける。なお，液晶ディスプレイ４１は，表示以外に入力操作も可能なタッチパネルであってもよく，その場合には，ボタン群の各ボタンに代えて，タッチパネルに表示される表示キーを用いてもよい。各ボタンの操作に対応するプリンタ１００の動作については，後述する。
【００３１】
スタートボタン４２の押下の受け付けは，開始指示の受信の一例である。また，割込ボタン４３の押下の受け付けは，割込み指示の受信の一例である。また，割込終了ボタン４４の押下の受け付けは，割込み終了指示の受信の一例である。また，完了ボタン４５の押下の受け付けは，セット完了指示の受信の一例である。
【００３２】
続いて，プリンタ１００における割込み印刷機能の動作について，図３を参照しつつ説明する。プリンタ１００は，印刷ジョブの処理中に，割込ボタン４３の押下を受け付けると，処理中の印刷ジョブを中断する。そして，プリンタ１００は，新たなジョブを受け付け，新たに受け付けた印刷ジョブの処理を行う。以下では，割込ボタン４３の押下後に受け付けたジョブを，割込ジョブとし，割込ボタン４３の押下時に処理中であったジョブを，先行ジョブとする。また，プリンタ１００が排紙トレイ１３を閉じた状態で使用されている場合について説明する。つまり，印刷物の排紙先は，排紙トレイ１２である。なお，図３中の各ボタンの配置は一例であり，これに限るものではない。
【００３３】
プリンタ１００は，先行ジョブの処理を開始し，先行ジョブの印刷物を，排紙トレイ１２に排紙する。先行ジョブの処理中に割込ボタン４３の押下を受け付けた場合，プリンタ１００は，まず，先行ジョブの処理を中断する。具体的には，プリンタ１００は，給紙を中止し，給紙済みのシートへの印刷を完了させ，給紙済みのシートの次のシートへの印刷に係る処理は行わない。
【００３４】
次に，プリンタ１００は，図３（Ｉ）に示すように，メッセージＡとメッセージＢとを，液晶ディスプレイ４１に表示する。メッセージＡは，排紙トレイ１２に収容されているシートを，一旦，排紙トレイ１２から取り出す旨を通知するメッセージである。また，メッセージＢは，割込ジョブの設定入力と先行ジョブの印刷物の取り出しが終了したらスタートボタン４２を押下する旨を通知するメッセージである。つまり，プリンタ１００は，スタートボタン４２の押下を受け付けるまで待機する。なお，図３（Ｉ）は，先行ジョブの中断直後の状態を示したものであり，この状態で排紙トレイ１２に収容されているシートは，先行ジョブの印刷物４８である。
【００３５】
そして，プリンタ１００は，スタートボタン４２の押下を受け付けたら，図３（ＩＩ）に示すように，割込ジョブの処理を開始する。つまり，プリンタ１００は，割込ジョブに基づく印刷を行い，印刷物を排紙トレイ１２に排紙する。ユーザがメッセージ通りの動作を行った場合，スタートボタン４２の押下を受け付けた時点では，先行ジョブの印刷物４８はユーザによって排紙トレイ１２から取り出されており，排紙トレイ１２にはシートが収容されていない。従って，図３（ＩＩ）に示すように，排紙トレイ１２には割込ジョブの印刷物４９だけが収容される。このとき，プリンタ１００は，例えば，割込ジョブを処理中である旨のメッセージを液晶ディスプレイ４１に表示してもよい。
【００３６】
さらに，プリンタ１００は，割込ジョブの処理が終了したら，図３（ＩＩＩ）に示すように，メッセージＣを，液晶ディスプレイ４１に表示する。メッセージＣは，割込みを終了するか否かを問い合わせ，終了する場合には割込終了ボタン４４を押下する旨を通知するメッセージである。この状態で排紙トレイ１２に収容されているシートは，割込ジョブの印刷物４９である。
【００３７】
そして，プリンタ１００は，割込終了ボタン４４の押下を受け付けたら，図３（ＩＶ）に示すように，メッセージＤとメッセージＥとを，液晶ディスプレイ４１に表示する。メッセージＤは，割込ジョブの開始前に取り出した先行ジョブの印刷物４８を再び排紙トレイ１２にセットする旨を通知するメッセージである。また，メッセージＥは，シートのセットが終了したら完了ボタン４５を押下する旨を通知するメッセージである。そして，プリンタ１００は，完了ボタン４５の押下を受け付けるまで待機する。
【００３８】
なお，プリンタ１００は，割込ボタン４３の押下から割込終了ボタン４４の押下までの間に，複数の割込ジョブを受け付けることができる。プリンタ１００は，割込終了ボタン４４の押下を受け付ける前に，別のジョブを受け付けた場合には，当該別のジョブの処理を開始する。つまり，図３（ＩＶ）の状態で，さらに別の割込ジョブを受け付けることもできる。その場合には，プリンタ１００は，受け付けた割込ジョブの処理を終了した後，再び，図３（ＩＶ）の状態となる。
【００３９】
さらに，プリンタ１００は，完了ボタン４５の押下を受け付けたら，図３（Ｖ）に示すように，先行ジョブの処理を再開する。ユーザがメッセージ通りの動作を行った場合，完了ボタン４５の押下を受け付けた時点では，割込ジョブの印刷物４９はユーザによって取り出され，さらに，先行ジョブの印刷物４８はユーザによって排紙トレイ１２に戻されている。従って，排紙トレイ１２に収容されているシートは，先行ジョブの印刷物４８である。
【００４０】
プリンタ１００は，完了ボタン４５の押下を受け付けた後，先行ジョブの処理を再開し，先行ジョブの印刷物４８の続きを排紙トレイ１２に排紙する。これにより，中断前の印刷物と中断後の印刷物とが積み重ねられ，割込みが行われなかった場合と同様に，先行ジョブの印刷物４８の束が排紙トレイ１２に収容される。
【００４１】
続いて，プリンタ１００にて前述した割込み印刷の動作を実現するための割込印刷処理の手順について，図４のフローチャートを参照して説明する。この割込印刷処理は，印刷ジョブの処理中に割込ボタン４３の押下を受け付けたことを契機に，プリンタ１００のＣＰＵ３１にて実行される。この割込印刷処理の実行開始の判断は，割込み判断処理の一例である。なお，印刷ジョブの処理中でなければ，割込ボタン４３の押下は無効になる。
【００４２】
割込印刷処理では，ＣＰＵ３１は，まず，先行ジョブの処理を中断する（Ｓ１０１）。Ｓ１０１は，中断処理の一例である。具体的には，ＣＰＵ３１は，印刷中の１枚のシートへの印刷を完了させて排紙させ，次のシートの給紙は行なわせない。これにより，図３（Ｉ）に示すように，排紙トレイ１２へのシートの排紙は止まるので，割込が受け付けられたことがユーザにわかりやすい。
【００４３】
そして，ＣＰＵ３１は，先行ジョブの中断箇所に関する情報を，ＲＡＭ３３に記憶させる（Ｓ１０２）。中断箇所に関する情報は，中断した印刷を再開する際に必要となる各種の情報である。ＣＰＵ３１は，中断箇所に関する情報として，例えば，次に印刷するページのページ番号や，先行ジョブの印刷設定等を記憶させる。
【００４４】
そして，ＣＰＵ３１は，メッセージＡとメッセージＢとを，液晶ディスプレイ４１に表示させる（Ｓ１０３）。Ｓ１０３は，第１通知処理の一例である。メッセージＡは，排紙トレイ１２に収容されているシートを取り出す旨のメッセージであり，メッセージＢは，シートの取り出しと割込ジョブの設定とが完了したらスタートボタン４２を押下する旨のメッセージである。この結果，プリンタ１００は，図３（Ｉ）に示した状態となる。
【００４５】
そして，ＣＰＵ３１は，スタートボタン４２が押下されたか否かを判断する（Ｓ１０４）。Ｓ１０４は，開始指示待機処理の一例である。スタートボタン４２が押下されていないと判断した場合（Ｓ１０４：ＮＯ） ，ＣＰＵ３１は，タイムアウトとなったか否かを判断する（Ｓ１０５）。
【００４６】
ＣＰＵ３１は，Ｓ１０３にて液晶ディスプレイ４１へのメッセージの表示を開始させてから，スタートボタン４２が押下されないまま所定の時間が経過した場合，タイムアウトと判断する。そして，タイムアウトと判断した場合（Ｓ１０５：ＹＥＳ），ＣＰＵ３１は，先行ジョブの処理を再開し（Ｓ１１０），割込印刷処理を終了する。タイムアウトの所定の時間は，ＲＯＭ３２またはＮＶＲＡＭ３４に記憶されている。なお，所定の時間の起点は，割込ボタン４３の押下の受け付けとしてもよい。
【００４７】
タイムアウトではないと判断した場合（Ｓ１０５：ＮＯ），ＣＰＵ３１は，Ｓ１０４に戻って，スタートボタン４２が押下されたか否かを判断する。つまり，ＣＰＵ３１は，タイムアウト，または，スタートボタン４２の押下の受け付け，のいずれかとなるまで待機する。そして，スタートボタン４２が押下されたと判断した場合（Ｓ１０４：ＹＥＳ），ＣＰＵ３１は，後述する表示データを生成するための処理である表示データ生成処理を実行する（Ｓ１１１）。
【００４８】
次に，プリンタ１００が，印刷物を排紙トレイ１２にフェイスダウンで排紙する場合に，割込印刷処理のＳ１１１にて実行される，表示データ生成処理の手順について，図５のフローチャートを参照して説明する。本形態のプリンタ１００は，図３（ＩＶ）に示したように，割込ジョブの処理が終了した後，割込ジョブを開始する前に取り出したシートを排紙トレイ１２に戻してもらうためのメッセージであるメッセージＤを表示する。この表示に際して，プリンタ１００は，後述するように，ユーザの便宜のためのガイダンス表示を行う。つまり，プリンタ１００は，先行ジョブの印刷物４８を正しく戻してもらうために，印刷物の向き及び面の情報を液晶ディスプレイ４１に表示する。この表示データ生成処理は，ガイダンス表示の準備のために，画像を生成する処理である。
【００４９】
なお，印刷物の向きの情報には，印刷物の面内での上下左右の情報が含まれる。上下左右の情報は，例えば，セットの方向が縦長か横長かの情報と，ページの上下方向の情報とを含む情報である。印刷物の面の情報には，印刷物の表裏の情報が含まれる。面の情報は，例えば，排紙トレイ１２にセットしたときに上側となる印刷物の面に関する情報であり，上側の面に印刷されている画像の情報である。
【００５０】
ＣＰＵ３１は，表示データ生成処理では，まず，中断した先行ジョブが両面印刷のジョブであったか否かを判断する（Ｓ２０１）。そして，両面印刷のジョブであったと判断した場合（Ｓ２０１：ＹＥＳ），ＣＰＵ３１は，最後に排紙したシートに対して行った印刷のうち，１つ前に印刷した画像の画像データを取得する（Ｓ２０３）。
【００５１】
両面印刷したシートを排紙トレイ１２に排紙する場合，プリンタ１００は，そのシートに最後に印刷した印刷面を下側に向けて，フェイスダウンで排紙する。そのため，排紙トレイ１２に収容された印刷物のうち，最も上側に見えている面は，最後に排紙したシートに対して，先に印刷した印刷面である。そして，Ｓ２０３では，ＣＰＵ３１は，割込み前の最後に排紙されたシートが排紙トレイ１２に収容されたときに上側となる面に印刷された画像に対応する画像データを取得する。Ｓ２０３にて取得される画像データは，例えば，図３（Ｉ）にて先行ジョブの印刷物４８のうちの最も上にあるシートに対し，上側に見えている面に印刷された画像に対応する画像データである。
【００５２】
そして，ＣＰＵ３１は，取得した画像データに基づいて，表示データを生成する（Ｓ２０４）。ＣＰＵ３１は，プリンタ１００における液晶ディスプレイ４１の向きと排紙トレイ１２への排紙方向とに基づいて，ユーザがプリンタ１００の前方から見た場合の印刷物４８の上側の面の画像となるように，必要に応じて画像を回転させて，表示データを生成する。これにより，表示データは，液晶ディスプレイ４１に表示された際に，印刷物の向き及び面の情報を含む。なお，表示データは，例えば，画像データの解像度を低下させたサムネイル画像である。あるいは，表示データは，色情報を削除したモノクロ画像，特徴的な部分等の画像の一部のみを表示する部分画像であってもよい。
【００５３】
一方，両面印刷のジョブではない，すなわち，片面印刷のジョブであったと判断した場合（Ｓ２０１：ＮＯ），ＣＰＵ３１は，白紙表示データを取得して（Ｓ２０６），表示データとする。白紙表示データは，白紙シートを示す表示データである。プリンタ１００は，白紙表示データをＲＯＭ３２またはＮＶＲＡＭ３４に記憶している。
【００５４】
片面印刷したシートを排紙トレイ１２に排紙する場合，プリンタ１００は，そのシートに最後に印刷した印刷面を下側に向けて，フェイスダウンで排紙する。そのため，割込み前の最後に排紙されたシートが排紙トレイ１２に収容されたときに上側となる面は，最後に印刷された面の裏面であり，白紙である。例えば，図３（Ｉ）にて先行ジョブの印刷物４８のうち，最も上にあるシートの見えている面は，印刷されていない白紙面である。さらに，ＣＰＵ３１は，Ｓ２０４またはＳ２０６にて生成した表示データを，ＲＡＭ３３に記憶し（Ｓ２０８），表示データ生成処理を終了する。
【００５５】
図４の割込印刷処理に戻り，Ｓ１１１の表示データ生成処理の後，ＣＰＵ３１は，割込ジョブの処理を実行する（Ｓ１１３）。Ｓ１１３は，割込み処理の一例である。つまり，ＣＰＵ３１は，図３（ＩＩ）に示すように，割込ジョブの印刷を実行させ，印刷物４９を排紙トレイ１２に排紙させる。なお，プリンタ１００は，割込ジョブの実行中に割込ボタン４３の押下を受け付けた場合，当該押下を無効としてもよいし，実行中の割込ジョブを先行ジョブとして，さらに割込印刷処理を実行してもよい。
【００５６】
割込ジョブの処理の終了後，ＣＰＵ３１は，メッセージＣを液晶ディスプレイ４１に表示させる（Ｓ１１４）。メッセージＣは，割込みを終了する場合には割込終了ボタン４４を押下する旨のメッセージである。さらに，ＣＰＵ３１は，他の割込ジョブを受け付けたか否かを判断する（Ｓ１１５）。そして，他の割込ジョブを受け付けたと判断した場合（Ｓ１１５：ＹＥＳ），ＣＰＵ３１は，Ｓ１１３に戻って，新たに受け付けた割込ジョブの処理を実行する。
【００５７】
一方，他の割込ジョブを受け付けていないと判断した場合（Ｓ１１５：ＮＯ），ＣＰＵ３１は，割込終了ボタン４４の押下を受け付けたか否かを判断する（Ｓ１１６）。なお，ＣＰＵ３１は，割込ジョブの処理中にも割込終了ボタン４４の押下を受け付けてもよく，割込終了ボタン４４の押下を受け付けた場合には，割込ジョブの処理を停止して，Ｓ１１８に移行するとしてもよい。
【００５８】
そして，割込終了ボタン４４の押下を受け付けていないと判断した場合（Ｓ１１６：ＮＯ），ＣＰＵ３１は，タイムアウトか否かを判断する（Ｓ１１７）。ＣＰＵ３１は，割込ジョブの処理を終了してから，次の割込ジョブも，割込終了ボタン４４の押下も受け付けないまま所定の時間が経過した場合，タイムアウトと判断する。そして，タイムアウトではないと判断した場合（Ｓ１１７：ＮＯ），ＣＰＵ３１は，他の割込ジョブの受け付け，割込終了ボタン４４の押下の受け付け，あるいは，タイムアウトのいずれかとなるまで待機する。
【００５９】
なお，Ｓ１１７でのタイムアウトの所定の時間は，ＲＯＭ３２またはＮＶＲＡＭ３４に記憶されている。Ｓ１１７での所定の時間は，Ｓ１０５の所定の時間と同じでもよいし，異なっていてもよい。
【００６０】
そして，割込終了ボタン４４の押下を受け付けたと判断した場合（Ｓ１１６：ＹＥＳ），または，タイムアウトと判断した場合（Ｓ１１７：ＹＥＳ），ＣＰＵ３１は，メッセージＤとメッセージＥとを，液晶ディスプレイ４１に表示させる（Ｓ１１８）。Ｓ１１８は，第２通知処理の一例である。メッセージＤは，シートをセットする旨のメッセージであり，メッセージＥは，セットが完了したら完了ボタン４５を押下する旨のメッセージである。
【００６１】
先行ジョブの印刷物４８は，Ｓ１０３の表示に従った場合に，ユーザによって排紙トレイ１２から取り出されている。そして，ＣＰＵ３１は，メッセージＤでは，液晶ディスプレイ４１に，印刷物４８をセットする向き及び面を示すガイダンスを表示させる。具体的に，ＣＰＵ３１は，例えば，図６に示すように，Ｓ１１１の表示データ生成処理にて生成した表示データと，排紙トレイ１２にセットする向きを示す矢印と，文字によるガイダンスと，を表示させる。これにより，文字によるガイダンスのみの場合と比較して，割込ジョブのユーザにとって，取り出した先行ジョブの印刷物４８を戻す際の印刷物４８の向き及び面がわかりやすい。
【００６２】
そして，ＣＰＵ３１は，完了ボタン４５の押下を受け付けたか否かを判断する（Ｓ１２０）。Ｓ１２０は，セット完了指示待機処理の一例である。完了ボタン４５の押下を受け付けていないと判断した場合（Ｓ１２０：ＮＯ），ＣＰＵ３１は，タイムアウトか否かを判断する（Ｓ１２１）。ＣＰＵ３１は，Ｓ１１８にて液晶ディスプレイ４１への表示を開始させてから，完了ボタン４５の押下を受け付けないまま所定の時間が経過した場合，タイムアウトと判断する。そして，タイムアウトではないと判断した場合（Ｓ１２１：ＮＯ），ＣＰＵ３１は，Ｓ１２０に戻って，完了ボタン４５の押下の受け付け，あるいは，タイムアウトのいずれかとなるまで待機する。
【００６３】
なお，Ｓ１２１でのタイムアウトの所定の時間は，ＲＯＭ３２またはＮＶＲＡＭ３４に記憶されている。Ｓ１２１での所定の時間は，Ｓ１０５やＳ１１７の所定の時間と同じでもよいし，異なっていてもよい。
【００６４】
完了ボタン４５の押下を受け付けたと判断した場合（Ｓ１２０：ＹＥＳ），または，タイムアウトと判断した場合（Ｓ１２１：ＹＥＳ），ＣＰＵ３１は，ＲＡＭ３３に記憶した表示データを消去させて（Ｓ１２３），液晶ディスプレイ４１への表示データの表示を停止させる。さらに，ＣＰＵ３１は，先行ジョブの処理を再開する（Ｓ１１０）。Ｓ１１０は，再開処理の一例である。そして，割込印刷処理を終了する。
【００６５】
本形態では，液晶ディスプレイ４１に各種のメッセージを表示することで，割込ジョブの終了後には，先行ジョブの印刷物４８をユーザによって排紙トレイ１２に戻されていることが期待できる。これにより，取り除いた印刷物の戻し忘れの防止が期待できる。さらに，メッセージＤにて印刷物４８の向き及び面を示すガイダンスも表示するので，中断前と中断後の先行ジョブの印刷物４８の向きが揃うことが期待できる。
【００６６】
なお，ここまで，プリンタ１００が排紙トレイ１３を閉じた状態で使用されている場合について説明した。一方，本形態のプリンタ１００は，排紙トレイ１３を開いた状態で使用された場合には，印刷物の排紙先を排紙トレイ１３とし，フェイスアップで排紙する。印刷物がフェイスアップで排紙される場合には，両面印刷でも片面印刷でも，印刷済みシートは，最後に印刷された面を上側に向けて排紙トレイ１３に排紙される。つまり，先行ジョブの印刷物４８のうちの最も上にあるシートの見えている面は，最後に印刷された面である。
【００６７】
そのため，排紙トレイ１３を開いた状態で使用された場合，ガイダンスの表示データの内容が，排紙トレイ１３を閉じた状態で使用された場合とは異なる。具体的には，プリンタ１００は，フェイスアップで排紙する場合は，表示データ生成処理において，最後に印刷した画像に対応する画像データに基づいて表示データを生成する。この点以外の処理は，フェイスダウンで排紙する場合の処理と共通である。
【００６８】
以上，詳細に説明したように，第１の形態のプリンタ１００は，割込ジョブの指示を受け付けた場合に，先行ジョブを中断し，先行ジョブの印刷物を排紙トレイから取り除く旨を通知する。これにより，ユーザによって，先行ジョブの印刷物４８が取り除かれ，割込ジョブの開始に当たって，排紙トレイ１２に印刷物が無い状態となることが期待できる。そして，スタートボタン４２が押下されるのを待って，割込ジョブの処理を開始する。割込ジョブの処理の開始時には，排紙トレイに先行ジョブの印刷物が無いことが期待できることから，印刷物の混載の可能性を低減できる。
【００６９】
さらに，第１の形態のプリンタ１００は，割込終了ボタン４４の押下によって割込ジョブの終了の指示を受け付けた場合に，取り除いた印刷物を排紙トレイ１２にセットする旨を通知する。これにより，ユーザによって，先に取り除いた印刷物４８を排紙トレイ１２に戻されることが期待できる。そして，完了ボタン４５が押下されるのを待って，先行ジョブの処理を再開する。先行ジョブの処理の再開時には，排紙トレイ１２に中断前の印刷物４８が戻されていると期待できることから，印刷物の戻し忘れを低減できる。
【００７０】
＜第２の形態＞
続いて，本発明にかかる画像形成装置を具体化した第２の形態について，添付図面を参照しつつ詳細に説明する。第２の形態のプリンタ２００は，排紙トレイ１２，１３にそれぞれ設けられたシートセンサを有する点で，第１の形態のプリンタ１００とは異なる。第１の形態と同じ構成や処理については，同じ符号を付して説明を省略する。
【００７１】
第２の形態のプリンタ２００は，図７に示すように，２つのシートセンサ６１，６２を備える。シートセンサ６１，６２は，センサの一例である。具体的に，プリンタ２００は，排紙トレイ１２にシートセンサ６１を備え，排紙トレイ１３にシートセンサ６２を備える。シートセンサ６１，６２は，それぞれ，排紙トレイ１２，１３上のシートの有無に応じて異なる信号を出力する。プリンタ２００は，シートセンサ６１，６２の信号に基づいて，排紙トレイ１２，１３にシートが有るか否かを判断できる。
【００７２】
第２の形態のプリンタ２００における割込み印刷機能の動作について，図８を参照しつつ説明する。プリンタ２００は，排紙トレイ１２のシートの有無を，シートセンサ６１，６２の出力信号に基づいて判断する。そのため，図８では，（Ｉ）と（ＩＶ）における液晶ディスプレイ４１の表示が，図３とは異なる。図８の（ＩＩ），（ＩＩＩ），（Ｖ）は，図３の（ＩＩ），（ＩＩＩ），（Ｖ）と，それぞれ同様の状態である。
【００７３】
具体的に，プリンタ２００は，先行ジョブの処理中に割込ボタン４３の押下を受け付けると，図８（Ｉ）に示すように，メッセージＡを，液晶ディスプレイ４１に表示する。メッセージＢは表示しない。そして，プリンタ２００は，シートセンサ６１，６２の出力信号に基づいて，シートが除去されたと判断したら，割込ジョブの処理を開始する。プリンタ２００は，シートセンサ６１，６２の出力信号が，シートの有を示す信号からシートの無を示す信号に変化した場合，シートが除去されたと判断する。
【００７４】
割込ジョブの処理が終了し，割込終了ボタン４４の押下を受け付けると，プリンタ２００は，図８（ＩＶ）に示すように，メッセージＤを，液晶ディスプレイ４１に表示する。メッセージＥは表示しない。そして，プリンタ２００は，シートセンサ６１，６２の出力信号に基づいて，シートが復帰されたと判断したら，先行ジョブの処理を再開する。プリンタ２００は，シートセンサ６１，６２の出力信号が，シートの有を示す信号からシートの無を示す信号に変化し，その後，シートの無を示す信号に変化した場合，シートが復帰されたと判断する。
【００７５】
続いて，プリンタ２００にて割込み印刷の動作を実現するための割込印刷処理の手順について，図９のフローチャートを参照して説明する。この割込印刷処理は，印刷ジョブの処理中に割込ボタン４３の押下を受け付けたことを契機に，プリンタ２００のＣＰＵ３１にて実行される。この割込印刷処理の実行開始の判断は，割込み判断処理の一例である。なお，以下では，排紙トレイ１３が開いた状態であって，排紙トレイ１２と１３とのいずれも使用可能な状態となっているものとして説明する。
【００７６】
ＣＰＵ３１は，先行ジョブの処理中に割込ボタン４３の押下を受け付けた場合，まず，先行ジョブの処理を中断する（Ｓ１０１）。Ｓ１０１は，中断処理の一例である。そして，ＣＰＵ３１は，中断箇所の情報を記憶させる（Ｓ１０２）。
【００７７】
さらに，ＣＰＵ３１は，割込ジョブの設定を受け付け，スタートボタン４２が押下されたか否かを判断する（Ｓ１０４）。押下されていないと判断した場合には（Ｓ１０４：ＮＯ），ＣＰＵ３１は，タイムアウトか否かを判断する（Ｓ１０５）。タイムアウトと判断した場合（Ｓ１０５：ＹＥＳ），ＣＰＵ３１は，先行ジョブの処理を再開し（Ｓ１１０），割込印刷処理を終了する。
【００７８】
タイムアウトではなく（Ｓ１０５：ＮＯ），スタートボタン４２が押下されたと判断した場合（Ｓ１０４：ＹＥＳ），ＣＰＵ３１は，先行ジョブの出力先と，割込ジョブの出力先と，が同じ排紙トレイであるか否かを判断する（Ｓ３０１）。同じ排紙トレイではないと判断した場合（Ｓ３０１：ＮＯ），ＣＰＵ３１は，割込ジョブの処理を実行する（Ｓ３０３）。割込ジョブの印刷物が，先行ジョブの印刷物とは異なる排紙トレイに排紙されるのであれば，印刷物の混載のおそれはない。そのため，先行ジョブの印刷物を取り出す必要はない。
【００７９】
割込ジョブの処理の終了後，ＣＰＵ３１は，さらに他の割込ジョブを受け付けたか否かを判断する（Ｓ３０５）。そして，他の割込ジョブを受け付けたと判断した場合（Ｓ３０５：ＹＥＳ），ＣＰＵ３１は，新たに受け付けた割込ジョブの処理を実行する。また，他の割込ジョブを受け付けていないと判断した場合（Ｓ３０５：ＮＯ），ＣＰＵ３１は，割込終了ボタン４４の押下を受け付けたか否かを判断する（Ｓ３０６）。割込終了ボタン４４の押下を受け付けていないと判断した場合（Ｓ３０６：ＮＯ），ＣＰＵ３１は，タイムアウトか否かを判断する（Ｓ３０７）。タイムアウトではないと判断した場合（Ｓ３０７：ＮＯ），ＣＰＵ３１は，Ｓ３０５の判断に戻る。
【００８０】
そして，ＣＰＵ３１は，割込終了ボタン４４の押下を受け付けたと判断した場合（Ｓ３０６：ＹＥＳ），または，タイムアウトと判断した場合（Ｓ３０７：ＹＥＳ），先行ジョブの処理を再開して（Ｓ１１０），割込印刷処理を終了する。
【００８１】
一方，先行ジョブと割込ジョブとの出力先が同じ排紙トレイであると判断した場合（Ｓ３０１：ＹＥＳ），ＣＰＵ３１は，出力先の排紙トレイに収容されているシートを取り出す旨のメッセージであるメッセージＡを，液晶ディスプレイ４１に表示させる（Ｓ３１０）。なお，プリンタ２００は，センサを有するので，取り出し完了をユーザに入力してもらう必要はない。つまり，プリンタ２００は，Ｓ３１０では，第１の形態のＳ１０２とは異なり，メッセージＢを表示させることはない。
【００８２】
表示後，ＣＰＵ３１は，出力先の排紙トレイに設けられているシートセンサの出力信号に基づいて，排紙トレイのシートが除去されたか否かを判断する（Ｓ３１１）。Ｓ３１１は，シート除去待機処理の一例である。具体的には，ＣＰＵ３１は，シートセンサの出力信号が，シートの有を示す信号からシートの無を示す信号に変化したか否かを判断する。
【００８３】
シートが除去されていないと判断した場合（Ｓ３１１：ＮＯ），ＣＰＵ３１は，タイムアウトか否かを判断する（Ｓ３１２）。タイムアウトではないと判断した場合（Ｓ３１２：ＮＯ），ＣＰＵ３１は，シートが除去されるか，タイムアウトとなるかのいずれかとなるまで待機する。タイムアウトと判断した場合（Ｓ３１２：ＹＥＳ），ＣＰＵ３１は，先行ジョブの処理を再開し（Ｓ１１０），割込印刷処理を終了する。
【００８４】
一方，シートが除去されたと判断した場合（Ｓ３１１：ＹＥＳ），ＣＰＵ３１は，表示データ生成処理を実行する（Ｓ１１１）。表示データ生成処理の内容は，第１の形態と同様である。そして，ＣＰＵ３１は，割込ジョブの処理を開始する（Ｓ１１３）。Ｓ１１３は，割込み処理の一例である。
【００８５】
さらに，ＣＰＵ３１は，第１の形態と同様に，Ｓ１１４〜Ｓ１１７を実行する。すなわち，メッセージＣを表示させ，割込終了ボタン４４の押下，または，タイムアウトを待機する。そして，割込終了ボタン４４の押下あり，または，タイムアウトと判断した場合，ＣＰＵ３１は，先行ジョブの印刷物を排紙トレイにセットする旨のメッセージであるメッセージＤを液晶ディスプレイ４１に表示させる（Ｓ３１５）。なお，プリンタ２００は，センサを有するので，シートのセット完了をユーザに入力してもらう必要はない。つまり，プリンタ２００は，Ｓ３１５では，第１の形態のＳ１１８とは異なり，メッセージＥを表示させることはない。
【００８６】
表示後，ＣＰＵ３１は，出力先の排紙トレイに設けられているシートセンサの出力信号に基づいて，排紙トレイにシートが復帰したか否かを判断する（Ｓ３２０）。Ｓ３２０は，シート復帰待機処理の一例である。具体的には，ＣＰＵ３１は，シートセンサの出力信号が，シートの有を示す信号からシートの無を示す信号に変化し，その後シートの有を示す信号に変化したか否かを判断する。割込ジョブの印刷物４９が排紙トレイから取り出され，先行ジョブの印刷物４８が排紙トレイに戻された場合，シートセンサの出力信号は，この順に変化する。
【００８７】
シートが復帰していないと判断した場合（Ｓ３２０：ＮＯ），ＣＰＵ３１は，タイムアウトか否かを判断する（Ｓ３２１）。タイムアウトではないと判断した場合（Ｓ３２１：ＮＯ），ＣＰＵ３１は，シートが復帰するか，または，タイムアウトとなるかのいずれかとなるまで待機する。
【００８８】
シートが復帰したと判断した場合（Ｓ３２０：ＹＥＳ），または，タイムアウトとなったと判断した場合（Ｓ３２１：ＹＥＳ），ＣＰＵ３１は，ＲＡＭ３３に記憶した表示データを消去させて（Ｓ１２３），液晶ディスプレイ４１への表示データの表示を停止させる。さらに，ＣＰＵ３１は，先行ジョブの処理を再開する（Ｓ１１０）。Ｓ１１０は，再開処理の一例である。そして，割込印刷処理を終了する。
【００８９】
プリンタ２００では，シートセンサ６１，６２の出力信号に基づいて，排紙トレイに先行ジョブの印刷物４８が戻されていると判断できることから，取り除いた印刷物の戻し忘れの防止が期待できる。さらに，メッセージＤにて印刷物４８の向き及び面を示すガイダンスも表示するので，中断前と中断後の先行ジョブの印刷物４８の向きが揃うことが期待できる。
【００９０】
以上，詳細に説明したように，第２の形態のプリンタ２００は，シートセンサ６１，６２を備えるので，シートセンサ６１，６２の出力信号の変化から，排紙トレイのシートの有無をプリンタ２００自身で判断できる。そして，排紙トレイに収容されているシートが有ると判断した場合には，割込み印刷の処理を開始しない。そして，プリンタ２００は，排紙トレイに収容されているシートが無くなったと判断したら，割込み印刷の処理を開始する。排紙トレイにシートが確実に無い状態で印刷を開始することで，印刷物の混載の可能性を低減できる。
【００９１】
さらに，第２の形態のプリンタ２００は，割込終了ボタン４４の押下によって割込ジョブの終了の指示を受け付けた場合に，排紙トレイにシートが有る状態からシートの無い状態となり，その後シートの有る状態となったか否かを判断する。そして，プリンタ２００は，排紙トレイのシートの有無がこのように変化したと判断した場合には，印刷物４８が戻されたことが期待できるので，先行ジョブの処理を再開する。つまり，先行ジョブの再開時には，排紙トレイに中断前の印刷物４８が戻されていると期待できることから，印刷物の戻し忘れを低減できる。
【００９２】
＜第３の形態＞
続いて，本発明にかかる画像形成装置を具体化した第３の形態について，添付図面を参照しつつ詳細に説明する。第３の形態のプリンタは，ガイダンスの表示データとして，先行ジョブの印刷物のうち，最後の１枚の表面と裏面との両方の画像を表示する点で第１の形態及び第２の形態とは異なる。以下では，第１の形態のプリンタ１００にて排紙トレイ１２にフェイスダウンで排紙する場合において，第３の形態の表示方法を適用した例について説明する。なお，第１の形態と同じ構成や処理については，同じ符号を付して説明を省略する。
【００９３】
第３の形態のプリンタ１００における割込み印刷の動作は，表示の内容を除いて，第１の形態のプリンタ１００と同様である。具体的に，第３の形態のプリンタ１００における割込印刷処理の手順は，図４のフローチャートにて説明した割込印刷処理と同様であるが，Ｓ１１１にて実行される表示データ生成処理の手順は，図５とは異なる。第３の形態のプリンタ１００における割込印刷処理のＳ１１１にて実行される表示データ生成処理の手順を，図１０のフローチャートを参照して説明する。
【００９４】
ＣＰＵ３１は，第３の形態の表示データ生成処理では，まず，先行ジョブを中断するとき最後に排出したシートに，最後に印刷した画像の画像データを取得する（Ｓ４０１）。Ｓ４０１にて取得した画像データは，先行ジョブの印刷物のうちの最も上にあるシートに対し，下側の面に印刷された画像に対応する画像データである。
【００９５】
次に，ＣＰＵ３１は，中断した先行ジョブが両面印刷のジョブであったか否かを判断する（Ｓ４０２）。そして，両面印刷のジョブであったと判断した場合（Ｓ４０２：ＹＥＳ），ＣＰＵ３１は，先行ジョブを中断するとき最後に排出したシートに，１つ前に印刷した画像の画像データを取得する（Ｓ４０３）。Ｓ４０３にて取得した画像データは，先行ジョブの印刷物のうちの最も上にあるシートに対し，上側に見えている面に印刷された画像に対応する画像データである。さらに，ＣＰＵ３１は，Ｓ４０１にて取得した最後の画像データをＡ面，Ｓ４０３にて取得した１つ前の画像データをＢ面として，表示データを生成する（Ｓ４０４）。
【００９６】
ＣＰＵ３１は，Ａ面の画像データとＢ面の画像データとに基づいて，Ａ面の画像とＢ面の画像とを含む画像に対応する表示データを生成する。ＣＰＵ３１は，例えば，図１１に示すように，Ａ面の画像１４２の画像データと，Ｂ面の画像１４３の画像データとを組み合わせて，両面の画像１４１を含む画像データを生成する。なお，文字ガイダンスの内容も，第１の形態とは異なる。本形態では，表示データとして，文字ガイダンスも含んで，液晶ディスプレイ４１に表示させる全体の画像に対応するデータを生成してもよい。さらに，ＣＰＵ３１は，Ｓ４０４にて生成した表示データを，ＲＡＭ３３に記憶し（Ｓ４０５），表示データ生成処理を終了する。
【００９７】
一方，両面印刷のジョブではないと判断した場合（Ｓ４０２：ＮＯ），ＣＰＵ３１は，白紙の画像データを取得する（Ｓ４０７）。さらに，ＣＰＵ３１は，Ｓ４０１にて取得した最後の画像データをＡ面，Ｓ４０７にて取得した白紙の画像データをＢ面として，表示データを生成する（Ｓ４０８）。
【００９８】
ＣＰＵ３１は，例えば，図１２に示すように，Ａ面の画像１５２と，白紙の画像１５３とを組み合わせて，両面画像１５１の画像データを生成する。さらに，両面画像１５１に文字によるガイダンスを加えた表示データとしてもよい。さらに，ＣＰＵ３１は，Ｓ４０８にて生成した表示データを，ＲＡＭ３３に記憶し（Ｓ４０５），表示データ生成処理を終了する。
【００９９】
例えば，片面印刷でフェイスダウンの場合には，上側の面が白紙であり，上側の面の画像だけでは，シートの向きを確認できない可能性が高い。第３の形態のプリンタ１００では，最後に排紙されたシートの両面の画像に対応する表示データが表示される。下側の面の画像も表示されるので，ユーザは，排紙トレイに戻そうとしている印刷物の１番上のシートをめくってみることで下側の面の向きを確認できる。つまり，図１２に示したように，下側の面であるＡ面の画像１５２を加えて表示することで，印刷物をセットする向き及び面を示すガイダンスとしての効果が向上する。
【０１００】
なお，フェイスアップの場合でも，同様に下側の面の画像を加えることで，印刷物をセットする向き及び面を示すガイダンスとしての効果が向上する。また，本形態の表示方法は，第１の形態のプリンタ１００に限らず，第２の形態のプリンタ２００に適用することもできる。その場合にも，図９のＳ１１１にて実行される表示データ生成処理を，図１０に示した処理とすればよい。
【０１０１】
以上，詳細に説明したように，第３の形態のプリンタ１００は，取り除いた印刷物を排紙トレイにセットする旨を通知する際に，最後のシートの両面の画像を表示する。これにより，先行ジョブの印刷物４８を排紙トレイに戻すユーザにとって，印刷物４８の向きを容易に判断できる。従って，ユーザが，先行ジョブの印刷物を構成する印刷済みシートの向きを間違えて戻す可能性が低減され，先行ジョブの印刷物の積載不良が抑制される。
【０１０２】
なお，本実施の形態は単なる例示にすぎず，本発明を何ら限定するものではない。したがって本発明は当然に，その要旨を逸脱しない範囲内で種々の改良，変形が可能である。例えば，プリンタに限らず，複合機，複写機，ファクシミリ装置など，画像形成機能を備える装置であれば適用可能である。
【０１０３】
また，例えば，各種の通知は，液晶ディスプレイ４１への表示に代えて，音声ガイダンスの再生によってもよい。あるいは，表示と音声ガイダンスとの両方を行ってもよい。
【０１０４】
また，例えば，先行ジョブや割込ジョブは，印刷を伴うジョブであればよい。印刷ジョブとしては，ＰＣやスマートフォンから画像データを受信して印刷するＰＣプリントジョブ，プリンタに装着されたＵＳＢメモリ等のメディアから画像データを読み出して印刷するメディアダイレクトプリントジョブが該当する。さらに，原稿読取部を備える装置であれば，原稿を読み取った画像データに基づく印刷を実行するコピージョブでもよい。
【０１０５】
また，例えば，両面印刷可能なプリンタに限らず，片面印刷専用の装置にも，本発明は適用可能である。片面印刷専用の装置の場合，内部構成によって，フェイスアップかフェイスダウンかが決まっているので，装置構成に合わせたガイダンスを表示すればよい。
【０１０６】
また，例えば，タイムアウトの処理はなくてもよい。ただし，タイムアウトを設けた方が，効率の面からは好ましい。また，シート除去を待機した場合のタイムアウトで，先行ジョブを再開するとしたが，割込ジョブの処理を開始してもよい。例えば，プリンタ２００の割込印刷処理のＳ３１２でＹＥＳの場合，Ｓ３０３へ進んで割込ジョブの処理を実行してもよい。ただし，先行ジョブを再開する方が，割込ジョブのユーザがスタートボタン４２の押下後にプリンタ１００から離れた場合等に，先行ジョブを停止したままとしない点で好ましい。
【０１０７】
また，例えば，メッセージＤにおいて，表示データによるシートの向き及び面を示すガイダンス表示は無くてもよい。具体的には，表示データ生成処理を削除し，メッセージＤでは，シートをセットする旨のメッセージだけを表示するとしてもよい。
【０１０８】
また，例えば，プリンタ２００の割込印刷処理において，出力先が同じではないと判断し，割込ジョブを実行した後，他の割込ジョブを受け付けた場合，連続して割込ジョブを実行するとしたが，出力先が同じであるか否かを判断するＳ３０１に戻るとしてもよい。つまり，複数の割込ジョブで，それぞれ異なる排紙トレイへの排紙を許容してもよい。
【０１０９】
また，例えば，排紙トレイが１つのみで排紙トレイにシートセンサを設けたプリンタにも，本発明は適用できる。その場合には，出力先が同じトレイであるか否かの判断及び，同じではない場合の各処理は不要である。具体的には，Ｓ３０１の判断，および，Ｓ３０３，Ｓ３０５，Ｓ３０６，Ｓ３０７の各ステップを削除し，Ｓ１０４にてＹＥＳの後は，Ｓ３１０へ進む。
【０１１０】
また，例えば，各実施の形態では，割込ボタン４３，割込終了ボタン４４，完了ボタン４５として，それぞれ別のボタンを備えるとしたが，これに限らない。例えば，各指示の受信は，同じボタンへの入力を繰り返すことで受信するものであってもよい。
【０１１１】
また，本形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【０１１２】
１０  画像形成部
１２，１３  排紙トレイ
３１  ＣＰＵ
３３  ＲＡＭ
４０  操作パネル
４１  液晶ディスプレイ
６１，６２  シートセンサ
１００，２００  プリンタ
【図１】
0006540365.tif 000002
【図２】
0006540365.tif 000003
【図３】
0006540365.tif 000004
【図４】
0006540365.tif 000005
【図５】
0006540365.tif 000006
【図６】
0006540365.tif 000007
【図７】
0006540365.tif 000008
【図８】
0006540365.tif 000009
【図９】
0006540365.tif 000010
【図１０】
0006540365.tif 000011
【図１１】
0006540365.tif 000012
【図１２】
0006540365.tif 000013